(57)【要約】【課題】室内機の必要十分な風量を確保しつつ、吹出口からの風量を絞り、気流クレームや過冷房・過暖房に関するクレームに対処できるようにする。【解決手段】室内機１への空気の入口側と出口側とを連通させるバイパスダクト６を設ける。バイパスダクト６にバイパスダンパ７を設ける。バイパスダンパ７に対して制御装置８を設ける。制御装置８は、吹出ダンパ５−１〜５−８の開度θ１〜θ８の平均開度θaveが最小開度θｍｉｎ以下となると、吹出ダンパ５の全体が絞り気味の状態になったと判断して、バイパスダンパ７を開く。これにより、室内機１からの調和空気がバイパスダクト６側へも流れるようになり、室内機１の必要十分な風量が確保されるものとなる。【選択図】  図１
2014043956.tif 000002
【特許請求の範囲】
【請求項１】
調和された空気を主ダクトに供給する室内機と、
前記主ダクトに供給された前記室内機からの調和空気を分岐する分岐ダクトと、
前記分岐ダクトによって分岐された調和空気を制御対象エリアに吹き出す吹出口と、
前記制御対象エリアに吹き出される調和空気の風量を調整するダンパと、
前記主ダクトに供給された前記室内機からの調和空気を前記分岐ダクトとは別の経路へ分流する分流ダクトと、
前記制御対象エリア毎のダンパの開度に基づいて、前記分岐ダクトに送られる前記室内機からの調和空気の量と前記分流ダクトに送られる前記室内機からの調和空気の量とを制御する制御手段と  
を備えることを特徴とするダクトシステム。
【請求項２】
請求項１に記載されたダクトシステムにおいて、
前記分流ダクトは、
前記室内機への空気の入口側と出口側とを連通させるバイパスダクトであり、
前記制御手段は、
前記バイパスダクトに設けられたバイパスダンパの動作を制御する
ことを特徴とするダクトシステム。
【請求項３】
請求項１に記載されたダクトシステムにおいて、
前記分流ダクトは、
前記室内機からの空気の出口側と天井裏チャンバとを連通させるレリーフダクトであり、
前記制御手段は、
前記レリーフダクトに設けられたレリーフダンパの動作を制御する
ことを特徴とするダクトシステム。
【請求項４】
請求項１に記載されたダクトシステムにおいて、
前記制御手段は、
前記制御対象エリア毎のダンパの開度に基づいて、そのダンパ全体が絞り気味の状態になったか否かを判断し、絞り気味の状態になったと判断した場合に、前記分流ダクトに設けられているダンパを開く
ことを特徴とするダクトシステム。
【請求項５】
請求項１に記載されたダクトシステムにおいて、
前記制御手段は、
前記制御対象エリア毎のダンパの開度に基づいて前記室内機の通風風量を推定し、この推定された室内機の通風風量が予め定められた下限値以下となった場合に、前記分流ダクトに設けられているダンパを開く
ことを特徴とするダクトシステム。
【請求項６】
請求項１〜５の何れか１項に記載されたダクトシステムにおいて、
前記主ダクトは、
環状に繋げられたループダクトである
ことを特徴とするダクトシステム。
【発明の詳細な説明】
【技術分野】
【０００１】
この発明は、室内機からの調和された空気を主ダクトを通して複数のゾーンに供給するダクトシステムに関するものである。
【背景技術】
【０００２】
小規模ビルでは、大規模ビルに比べて、低イニシャルコストの空調システムが求められる。このため、従来より、小規模ビルでは、室内機にダクトを接続して、複数のゾーンの空調制御を行うというシステムが採用されている（例えば、特許文献１参照）。この室内機にダクトを接続して複数のゾーン（制御対象エリア）の空調制御を行う方式をダクトビルマルチ空調と呼ぶ。
【０００３】
図１０に従来のダクトビルマルチ空調の構成例を示す。同図において、１は室内機、２は主ダクト、３（３−１〜３−８）は分岐ダクト、４（４−１〜４−８）は制御対象エリアＡＲ（ＡＲ１〜ＡＲ８）への吹出口、５（５−１〜５−８）はダンパである。主ダクト２および分岐ダクト３は直線の鉄板ダクトとされている。ダンパ５−１〜５−８は分岐ダクト４−１〜４−８に設けられている。なお、ダンパ５はモータダンパとされる場合もあるし、手動ダンパとされる場合もある。
【０００４】
このシステムにおいて、室内機１は調和された空気を主ダクト２に供給する。主ダクト２に供給された室内機１からの調和空気は、分岐ダクト３−１〜３−８によって分岐され、吹出口４−１〜４−８に導かれて制御対象エリアＡＲ１〜ＡＲ８へ吹き出される。吹出口４−１〜４−８から制御対象エリアＡＲ１〜ＡＲ８へ吹き出される調和空気の風量はダンパ５−１〜５−８によって調整される。また、室内機１の風量は、図示されていない給気風量調整装置によって調整される。例えば、吹出口４−１〜４−８からの風量が低減されると、室内機１からの風量が絞られる。
【先行技術文献】
【特許文献】
【０００５】
【特許文献１】特開２００６−１３２８２２号公報
【発明の概要】
【発明が解決しようとする課題】
【０００６】
しかしながら、このようなダクトビルマルチ空調のシステムでは、個別性、操作性、効率改善の良さがある一方で、室内機の風量をあまり絞ることができない。このため、吹出口からの風量を大きく低減することができず、吹出口直下での気流クレーム（気流が直接あたる等のクレーム）が発生したり、過冷房・過暖房に関するクレームが発生したりするなどの問題が生じていた。
【０００７】
これは、冷媒回路の保護のため、室内機の風量を定格の７割程度までしか絞ることができないことに起因している。もし、風量を絞り過ぎると、すなわち必要十分な風量を確保できなくなると、保護回路が働き、室外機（圧縮機）が発停を繰り返してしまい、その結果、室内機の冷房（暖房）が間欠運転となり、給気温度や室内温度が大きくハンチングし、安定しなくなる。
【０００８】
本発明は、このような課題を解決するためになされたもので、その目的とするところは、室内機の必要十分な風量を確保しつつ、吹出口からの風量を絞り、気流クレームや過冷房・過暖房に関するクレームに対処することが可能なダクトシステムを提供することにある。
【課題を解決するための手段】
【０００９】
このような目的を達成するために本発明は、調和された空気を主ダクトに供給する室内機と、主ダクトに供給された室内機からの調和空気を分岐する分岐ダクトと、分岐ダクトによって分岐された調和空気を制御対象エリアに吹き出す吹出口と、制御対象エリアに吹き出される調和空気の風量を調整するダンパと、主ダクトに供給された室内機からの調和空気を分岐ダクトとは別の経路へ分流する分流ダクトと、制御対象エリア毎のダンパの開度に基づいて、分岐ダクトに送られる室内機からの調和空気の量と分流ダクトに送られる室内機からの調和空気の量とを制御する制御手段とを備えることを特徴とする。
【００１０】
本発明において、制御手段は、制御対象エリア毎のダンパの開度に基づいて、分岐ダクトに送られる室内機からの調和空気の量と分流ダクトに送られる室内機からの調和空気の量とを制御する。すなわち、室内機から主ダクトに送られる調和空気のうち、制御対象エリアへ送られる調和空気の量と、制御対象エリアに供給せず別の経路へ送る調和空気の量）とを、制御対象エリア毎のダンパの開度に基づいて制御する。
【００１１】
例えば、第１の例として、制御対象エリア毎のダンパの開度に基づいて、そのダンパ全体が絞り気味の状態になったか否かを判断し、絞り気味の状態になったと判断した場合に、分流ダクトに設けられているダンパを開くようにする。例えば、制御対象エリア毎のダンパの開度を監視し、これらダンパの平均開度が予め定められた最小開度以下となった場合に、分流ダクトに設けられているダンパを開くようにする。
この場合、吹出口からの風量が絞られて、ダンパ全体が絞り気味の状態になったと判断されると、分流ダクトに設けられているダンパが開かれる。これにより、室内機からの調和空気が分流ダクト側へも流れるようになり、室内機の必要十分な風量が確保されるものとなる。
【００１２】
例えば、第２の例として、制御対象エリア毎のダンパの開度に基づいて室内機の通風風量を推定し、この推定された室内機の通風風量が予め定められた下限値以下となった場合に、分流ダクトに設けられているダンパを開くようにする。
この場合、吹出口からの風量が絞られて、制御対象エリア毎のダンパの開度に基づいて推定される室内機の通風風量が予め定められた下限値以下となると、分流ダクトに設けられているダンパが開かれる。これにより、室内機からの調和空気が分流ダクト側へも流れるようになり、室内機の必要十分な風量が確保されるものとなる。
【００１３】
本発明において、分流ダクトは、室内機への空気の入口側と出口側とを連通させるバイパスダクトとしたり、室内機からの空気の出口側と天井裏チャンバとを連通させるレリーフダクトとすることが考えられる。分流ダクトをバイパスダクトとする場合には、例えば、バイパスダクトにバイパスダンパを設けるようにし、このバイパスダンパの動作を制御するようにする。分流ダクトをレリーフダクトとする場合には、例えば、レリーフダクトにレリーフダンパを設けるようにし、このレリーフダンパの動作を制御するようにする。
【００１４】
また、本発明において、主ダクトは、直線ダクトとしてもよく、環状に繋げられたループダクトとしてもよい。ループダクトを主ダクトする場合、例えば、フレキシブルダクトを環状に繋げてループダクトとし、このループダクトを主ダクトとして用いるようにするとよい。
【発明の効果】
【００１５】
本発明によれば、主ダクトに供給された室内機からの調和空気を分岐ダクトとは別の経路へ分流する分流ダクトを設け、制御対象エリア毎のダンパの開度に基づいて、分岐ダクトに送られる室内機からの調和空気の量と分流ダクトに送られる室内機からの調和空気の量とを制御するようにしたので、制御対象エリア毎のダンパの開度に基づいて、そのダンパ全体が絞り気味の状態になったか否かを判断し、絞り気味の状態になったと判断した場合に、分流ダクトに設けられているダンパを開くようにしたり、制御対象エリア毎のダンパの開度に基づいて室内機の通風風量を推定し、この推定された室内機の通風風量が予め定められた下限値以下となった場合に、分流ダクトに設けられているダンパを開くようにするなどして、室内機の必要十分な風量を確保しつつ、吹出口からの風量を絞り、気流クレームや過冷房・過暖房に関するクレームに対処することが可能となる。
【図面の簡単な説明】
【００１６】
【図１】本発明に係るダクトシステムの一実施の形態（実施の形態１）を示す図である。
【図２】本発明に係るダクトシステムの他の実施の形態（実施の形態２）を示す図である。
【図３】実施の形態１における主ダクトをループダクトとしたダクトシステム（実施の形態３）を示す図である。
【図４】実施の形態２における主ダクトをループダクトとしたダクトシステム（実施の形態３）を示す図である。
【図５】実施の形態１の構成に除湿制御を組み合わせた例を示す図（実施の形態７の一例）である。
【図６】実施の形態１および３における制御装置の要部の機能ブロック図である。
【図７】実施の形態２および４における制御装置の要部の機能ブロック図である。
【図８】実施の形態５における制御装置の要部の機能ブロック図である。
【図９】実施の形態６における制御装置の要部の機能ブロック図である。
【図１０】従来のダクトビルマルチ空調の構成例を示す図である。
【発明を実施するための形態】
【００１７】
以下、本発明の実施の形態を図面に基づいて詳細に説明する。
【００１８】
〔実施の形態１〕
図１に本発明に係るダクトシステムの一実施の形態（実施の形態１）を示す。同図において、図１０と同一符号は図１０を参照して説明した構成要素と同一或いは同等構成要素を示し、その説明は省略する。
【００１９】
この実施の形態１では、主ダクト２に供給された室内機１からの調和空気を分岐ダクト３−１〜３−８とは別の経路へ分流する分流ダクトとして、室内機１への空気の入口側と出口側とを連通させるバイパスダクト６を設けている。また、このバイパスダクト６にバイパスダンパ７を設け、このバイパスダンパ７の動作を制御装置８（８Ａ）によって制御するようにしている。
【００２０】
制御装置８Ａには、ダンパネットワークＮＷを介して、バイパスダクト６に設けられたバイパスダンパ７と、分岐ダクト３−１〜３−８に設けられたダンパ５−１〜５−８とが接続されている。ダンパ５−１〜５−８やバイパスダンパ７はモータダンパとされている。以下、分岐ダクト３に設けられたダンパ５を吹出ダンパと呼ぶ。
【００２１】
制御装置８Ａは、プロセッサや記憶装置からなるハードウェアと、これらのハードウェアと協働して各種機能を実現させるプログラムとによって実現され、本実施の形態特有の機能としてバイパスダンパ制御機能を有している。以下、制御装置８Ａが有するバイパスダンパ制御機能について説明する。
【００２２】
制御装置８Ａは、ダンパネットワークＮＷを介して吹出ダンパ５−１〜５−８の開度θ１〜θ８を監視し、吹出ダンパ５−１〜５−８の開度θ１〜θ８の平均開度θaveが予め定められている最小開度θｍｉｎ以下となったか否かを判断する。
【００２３】
制御装置８Ａは、吹出ダンパ５−１〜５−８の開度θ１〜θ８の平均開度θaveが最小開度θｍｉｎを超えていれば、通常の状態であると判断して、バイパスダンパ７を閉じる。
【００２４】
制御対象エリアＡＲ１〜ＡＲ８において、気流クレームや過冷房・過暖房に関するクレームが発生していない場合、吹出口４−１〜４−８からの風量は大きく低減されることはない。このため、普通は、吹出ダンパ５−１〜５−８の平均開度θaveは最小開度θｍｉｎを超えている。
【００２５】
制御装置８Ａは、このような状態を通常の状態として、バイパスダンパ７を閉じる。この時、バイパスダンパ７を全閉とするものとすれば、室内機１から主ダクト１へ送られる調和空気は、その全量が分岐ダクト３−１〜３−８を介して制御対象エリアＡＲ１〜ＡＲ８に送られる。
【００２６】
これに対して、例えば、複数の制御対象エリアＡＲにおいて、気流クレームや過冷房・過暖房に関するクレームが発生し、このクレームに対処するために複数の吹出口４からの風量が大きく低減され、平均開度θaveが最小開度θｍｉｎ以下となったとする。
【００２７】
制御装置８Ａは、吹出ダンパ５−１〜５−８の平均開度θaveが最小開度θｍｉｎ以下となると、吹出ダンパ５の全体が絞り気味の状態になったと判断して、バイパスダンパ７を開く。これにより、室内機１から主ダクト１へ送られた調和空気が分流し、バイパスダクト６側へも流れるようになる。すなわち、室内機１からの調和空気がバイパスダクト６を通して室内機１の空気の入口側に戻され、再循環されるようになる。
【００２８】
これにより、保護回路が働くことがない、室内機１の必要十分な風量が確保されるものとなる。すなわち、室内機１の必要十分な風量を確保しつつ、吹出口４−１からの風量を絞り、気流クレームや過冷房・過暖房に関するクレームに対処することが可能となる。
【００２９】
〔実施の形態２〕
図２に本発明に係るダクトシステムの他の実施の形態（実施の形態２）を示す。上述した実施の形態１では、分流ダクトしてバイパスダクト６を設けるようにしたが、実施の形態２では、分流ダクトとしてレリーフダクト９を設けるようにしている。
【００３０】
レリーフダクト９は、室内機１からの空気の出口側と天井裏チャンバ（図示せず）とを連通させるダクトである。天井裏チャンバは室内機１への空気の入口側につながる還気ダクト１１と連通している。この実施の形態２では、レリーフダクト９にレリーフダンパ１０を設け、このレリーフダンパ１０の動作を制御装置８（８Ｂ）によって制御するようにしている。
【００３１】
制御装置８Ｂには、ダンパネットワークＮＷを介して、レリーフダクト９に設けられたレリーフダンパ１０と、分岐ダクト３−１〜３−８に設けられた吹出ダンパ５−１〜５−８とが接続されている。吹出ダンパ５−１〜５−８やレリーフダンパ１０はモータダンパとされている。
【００３２】
制御装置８Ｂは、ダンパネットワークＮＷを介して吹出ダンパ５−１〜５−８の開度θ１〜θ８を監視し、吹出ダンパ５−１〜５−８の開度θ１〜θ８の平均開度θaveが予め定められている最小開度θｍｉｎ以下となったか否かを判断する。
【００３３】
制御装置８Ｂは、吹出ダンパ５−１〜５−８の平均開度θaveが最小開度θｍｉｎを超えていれば、通常の状態であるとして、レリーフダンパ１０を閉じる。
【００３４】
制御対象エリアＡＲ１〜ＡＲ８において、気流クレームや過冷房・過暖房に関するクレームが発生していない場合、吹出口４−１〜４−８からの風量は大きく低減さることはない。このため、普通は、吹出ダンパ５−１〜５−８の平均開度θaveは最小開度θｍｉｎを超えている。
【００３５】
制御装置８Ｂは、このような状態を通常の状態として、レリーフダンパ１０を閉じる。この時、レリーフダンパ１０を全閉とするものとすれば、室内機１から主ダクト１へ送られる調和空気は、その全量が分岐ダクト３−１〜３−８を介して制御対象エリアＡＲ１〜ＡＲ８に送られる。
【００３６】
これに対して、例えば、複数の制御対象エリアＡＲにおいて、気流クレームや過冷房・過暖房に関するクレームが発生し、このクレームに対処するために複数の吹出口４からの風量が大きく絞られ、平均開度θaveが最小開度θｍｉｎ以下となったとする。
【００３７】
制御装置８Ｂは、吹出ダンパ５−１〜５−８の平均開度θaveが最小開度θｍｉｎ以下となると、吹出ダンパ５の全体が絞り気味の状態になったと判断して、レリーフダンパ１０を開く。これにより、室内機１から主ダクト１へ送られた調和空気が分流し、レリーフダクト９側へも流れるようになる。すなわち、室内機１からの調和空気がレリーフダクト９を通して天井裏チャンバに放出され、この放出された調和空気が天井裏チャンバから還気ダクト１１を通して室内機１の空気の入口側に戻され、再循環されるようになる。
【００３８】
これにより、保護回路が働くことがない、室内機１の必要十分な風量が確保されるものとなる。すなわち、室内機１の必要十分な風量を確保しつつ、吹出口４−１からの風量を絞り、気流クレームや過冷房・過暖房に関するクレームに対処することが可能となる。
【００３９】
〔実施の形態３〕
実施の形態１では、主ダクトを直線ダクトとしたが、実施の形態３では主ダクトをループダクトとする。図３にこの主ダクトをループダクトとしたダクトシステムを示す。主ダクトをループダクトとした以外の構成は実施の形態１と同じであるのでその説明は省略する。
【００４０】
この実施の形態３のダクトシステムでは、フレキシブルダクト１２を環状に繋げてループダクトとし、このループダクトを主ダクト１３とし、この主ダクト１３に室内機１からの調和空気を供給するようにしている。
【００４１】
また、フレキシブルダクト１２同士を分岐ユニット１４で接続し、この分岐ユニット１４に分岐ダクト１５を接続し、この分岐ダクト１５を通して室内機１からの調和空気を吹出口４に導くようにしている。なお、分岐ダクト１５も主ダクト１３と同様、フレキシブルダクトを用いている。
【００４２】
例えば、分岐ダクト１５−１について言うと、フレキシブルダクト１２−１と１２−２とを分岐ユニット１４−１で接続し、この分岐ユニット１４に分岐ダクト１５−１を接続し、この分岐ダクト１５−１を通して室内機１からの調和空気を吹出口４−１に導くようにしている。他の分岐ダクト１５−２〜１５−８についても同様である。
【００４３】
この実施の形態３では、主ダクト１３をループダクトとしているので、静圧差が少なく、吹出ダンパ５の開度と風量の特性がリニアに近づく。また、実施の形態１と同様、吹出ダンパ５−１〜５−８とバイパスダンパ７を開度連動させるが、その時の風量特性もよくなり、室内機１の通過風量が安定する。
【００４４】
〔実施の形態４〕
実施の形態２では、主ダクトを直線ダクトとしたが、実施の形態４では主ダクトをループダクトとする。図４にこの主ダクトをループダクトとしたダクトシステムを示す。主ダクトをループダクトとした以外の構成は実施の形態２と同じであり、またループダクトとした主ダクトの構成は実施の形態３と同じであるので、その説明は省略する。
【００４５】
この実施の形態４でも、実施の形態３と同様、主ダクト１３をループダクトとしているので、静圧差が少なく、吹出ダンパ５の開度と風量の特性がリニアに近づく。また、実施の形態２と同様、吹出ダンパ５−１〜５−８とバイパスダンパ７を開度連動させるが、その時の風量特性もよくなり、室内機１の通過風量が安定する。
【００４６】
〔実施の形態５〕
実施の形態１，３において、制御装置８Ａは、ダンパネットワークＮＷを介して吹出ダンパ５−１〜５−８の開度θ１〜θ８を監視し、吹出ダンパ５−１〜５−８の平均開度θaveが最小開度θｍｉｎ以下となった場合にバイパスダンパ７を開くようにするが、吹出ダンパ５−１〜５−８の開度θ１〜θ８に基づいて室内機１の通風風量Ｖを推定し、この推定された通風風量Ｖが予め定められた下限値Ｖｍｉｎ以下となった場合にバイパスダンパ７を開くようにしてもよい。
【００４７】
その具体例として、実施の形態５では、吹出ダンパ５−１〜５−８の開度θ１〜θ８およびバイパスダンパ７の開度θｂｙｐから室内機１の通風風量Ｖを推定し、推定された通風風量Ｖが下限値Ｖｍｉｎ以下になった場合には、バイパスダンパ７を開いて室内機１の通過風量を増やすようにし、推定された通風風量Ｖが下限値Ｖｍｉｎを十分に上回る場合には、バイパスダンパ７を閉じてバイパス風量を減らすようにする。
【００４８】
〔実施の形態６〕
実施の形態２，４においても、実施の形態５と同様にして、吹出ダンパ５−１〜５−８の開度θ１〜θ８に基づいて室内機１の通風風量Ｖを推定し、この推定された通風風量Ｖが予め定められた下限値Ｖｍｉｎ以下となった場合にレリーフダンパ１０を開くようにしてもよい。
【００４９】
その具体例として、実施の形態６では、吹出ダンパ５−１〜５−８の開度θ１〜θ８およびレリーフダンパ１０の開度θｒｅｌから室内機１の通風風量Ｖを推定し、推定された通風風量Ｖが下限値Ｖｍｉｎ以下になった場合には、レリーフダンパ１０を開いて室内機１の通過風量を増やすようにし、推定された通風風量Ｖが下限値Ｖｍｉｎを十分に上回る場合には、レリーフダンパ１０を閉じてレリーフ風量を減らすようにする。
【００５０】
なお、この実施の形態５，６において、室内機１の通風風量Ｖの推定は、次の(１)〜(３)の何れかのロジックで行うようにする。
(１)ダンパ開度と風量が比例すると仮定する。
(２)ファン特性やダクト抵抗から、ベルヌーイの定理を用いて推定する。
(３)施工後に、開度と風量との関係を測定実験して、その実験式から推定する。
【００５１】
〔実施の形態７〕
実施の形態７では、実施の形態１〜６の構成に除湿制御を組み合わせるようにする。図５に、実施の形態７の一例として、実施の形態１の構成に除湿制御を組み合わせた例を示す。
【００５２】
図５に示したダクトシステムでは、制御対象エリアＡＲ１〜ＡＲ８に湿度センサ１６−１〜１６−８を設け、この湿度センサ１６−１〜１６−８によって検出される制御対象エリアＡＲ１〜ＡＲ８にける湿度ｈｐｖ１〜ｈｐｖ８を制御装置８（８Ｃ）で監視する。
【００５３】
制御装置８Ｃは、例えば、制御対象エリアＡＲ１〜ＡＲ８において検出された湿度ｈｐｖ１〜ｈｐｖ８のうち１つでも予め定められた除湿制御開始湿度ｈｔｈ以上となった場合に、バイパスダクト６に設けられているバイパスダンパ７を開く一方、分岐ダクト３−１〜３−８に設けられている吹出ダンパ５−１〜５−８を閉じて行く。これにより、制御対象エリアＡＲ１〜ＡＲ８への送風が低温となり、送風量が減る。送風が低温になると、室内機１での除湿量が増えて、湿度の上昇が抑えられる。
【００５４】
なお、この例では、制御対象エリアＡＲ１〜ＡＲ８において検出される湿度ｈｐｖ１〜ｈｐｖ８を監視するようにしたが、例えば制御対象エリアＡＲ１〜ＡＲ８におけるリモコンからの除湿要求を制御装置８へ送るようにし、除湿要求があった場合に上述と同様にして除湿制御を行うようにしてもよい。
【００５５】
図６に実施の形態１および３における制御装置８（８Ａ）の要部の機能ブロック図を示す。この制御装置８Ａは、吹出ダンパ５−１〜５−８の開度θ１〜θ８や平均開度θaveを取得する吹出口ダンパ開度取得部８Ａ１と、予め定められている吹出ダンパ５の最小開度θｍｉｎを記憶する最小開度記憶部８Ａ２と、バイパスダンパ７の動作を制御するバイパスダンパ制御部８Ａ３とを備えている。
【００５６】
バイパスダンパ制御部８Ａ３は、吹出口ダンパ開度取得部８Ａ１が取得した吹出ダンパ５−１〜５−８の開度θ１〜θ８や平均θaveおよび最小開度記憶部８Ａ２に記憶されている最小開度θｍｉｎを入力とし、平均開度θaveが最小開度θｍｉｎを超えていればバイパスダンパ７を閉じ、平均開度θaveが最小開度θｍｉｎ以下となればバイパスダンパ７を開く。
【００５７】
図７に実施の形態２および４における制御装置８（８Ｂ）の要部の機能ブロック図を示す。この制御装置８Ｂは、吹出ダンパ５−１〜５−８の開度θ１〜θ８や平均開度θaveを取得する吹出口ダンパ開度取得部８Ｂ１と、予め定められている吹出ダンパ５の最小開度θｍｉｎを記憶する最小開度記憶部８Ｂ２と、レリーフダンパ１０の動作を制御するレリーフダンパ制御部８Ｂ３とを備えている。
【００５８】
レリーフダンパ制御部８Ｂ３は、吹出口ダンパ開度取得部８Ｂ１が取得した吹出ダンパ５−１〜５−８の開度θ１〜θ８や平均開度θaveおよび最小開度記憶部８Ｂ２に記憶されている最小開度θｍｉｎを入力とし、平均開度θaveが最小開度θｍｉｎを超えていればレリーフダンパ１０を閉じ、平均開度θaveが最小開度θｍｉｎ以下となるとレリーフダンパ１０を開く。
【００５９】
図８に実施の形態５における制御装置８（８Ｄ）の要部の機能ブロック図を示す。この制御装置８Ｄは、吹出ダンパ５−１〜５−８の開度θ１〜θ８およびバイパスダンパ７の開度θｂｙｐを取得するダンパ開度取得部８Ｄ１と、室内機１の通過風量Ｖを推定する通過風量推定部８Ｄ２と、室内機１の通過風量Ｖの下限値Ｖｍｉｎを記憶する下限値記憶部８Ｄ３と、バイパスダンパ７の動作を制御するバイパスダンパ制御部８Ｄ４とを備えている。
【００６０】
通過風量推定部８Ｄ２は、ダンパ開度取得部８Ｄ１が取得した吹出ダンパ５−１〜５−８の開度θ１〜θ８およびバイパスダンパ７の開度θｂｙｐを入力とし、この吹出ダンパ５−１〜５−８の開度θ１〜θ８およびバイパスダンパ７の開度θｂｙｐから室内機１の通風風量Ｖを推定する。バイパスダンパ制御部８Ｄ４は、通過風量推定部８Ｄ２が推定した室内機１の通風風量Ｖおよび下限値記憶部８Ｄ３に記憶されている室内機１の通風風量Ｖの下限値Ｖｍｉｎを入力とし、推定された通風風量Ｖが下限値Ｖｍｉｎ以下になった場合には、バイパスダンパ７を開いて室内機１の通過風量を増やすようにし、推定された通風風量Ｖが下限値Ｖｍｉｎを十分に上回る場合には、バイパスダンパ７を閉じてバイパス風量を減らすようにする。
【００６１】
図９に実施の形態６における制御装置８（８Ｅ）の要部の機能ブロック図を示す。この制御装置８Ｅは、吹出ダンパ５−１〜５−８の開度θ１〜θ８およびレリーフダンパ１０の開度を取得するダンパ開度取得部８Ｅ１と、室内機１の通過風量Ｖを推定する通過風量推定部８Ｅ２と、室内機１通過風量Ｖの下限値Ｖｍｉｎを記憶する下限値記憶部８Ｅ３と、レリーフダンパ１０の動作を制御するレリーフダンパ制御部８Ｅ４とを備えている。
【００６２】
通過風量推定部８Ｅ２は、ダンパ開度取得部８Ｅ１が取得した吹出ダンパ５−１〜５−８の開度θ１〜θ８およびレリーフダンパ１０の開度θｒｅｌを入力とし、この吹出ダンパ５−１〜５−８の開度θ１〜θ８およびレリーフダンパ１０の開度θｒｅｌから室内機１の通風風量Ｖを推定する。レリーフダンパ制御部８Ｅ４は、通過風量推定部８Ｅ２が推定した室内機１の通風風量Ｖおよび下限値記憶部８Ｅ３に記憶されている室内機１の通風風量Ｖの下限値Ｖｍｉｎを入力とし、推定された通風風量Ｖが下限値Ｖｍｉｎ以下になった場合には、レリーフダンパ１０を開いて室内機１の通過風量を増やすようにし、推定された通風風量Ｖが下限値Ｖｍｉｎを十分に上回る場合には、レリーフダンパ１０を閉じてレリーフ風量を減らすようにする。
【００６３】
なお、上述した実施の形態１や３では、平均開度θaveが最小開度θｍｉｎ以下となった状態を吹出ダンパ５の全体が絞り気味の状態になった状態と判断してバイパスダンパ７を開くようにしたが、最小開度θｍｉｎ以下となった吹出ダンパ５の数が所定数以上となったときにバイパスダンパ７を開くようにしたり、吹出ダンパ５−１〜５−８の開度θ１〜θ８の平均値が所定値以下となったときにバイパスダンパ７を開くようにしたりするなどしてもよい。
【００６４】
また、上述した実施の形態１〜７では、吹出口４に対して１つの吹出ダンパ５が設けられているものとして説明したが、複数の吹出口４に対して１つの吹出ダンパ５が設けられるような例もある。この場合、その複数の吹出口４が調和空気を吹き出すエリアが制御対象エリアとなる。
【００６５】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。また、各実施の形態については、矛盾しない範囲で任意に組み合わせて実施することができる。
【符号の説明】
【００６６】
１…室内機、２…主ダクト、３（３−１〜３−８）…分岐ダクト、４（４−１〜４−８）…吹出口、５（５−１〜５−８）…ダンパ（吹出ダンパ）、６…バイパスダクト、７…バイパスダンパ、８（８Ａ〜８Ｅ）…制御装置、９…レリーフダクト、１０…レリーフダンパ、１１…還気ダクト、１２（１２−１〜１２−９）…フレキシブルダクト、１３…主ダクト、１４（１４−１〜１４−８）…分岐ユニット、１５（１５−１〜１５−８）…分岐ダクト、１６（１６−１〜１６−８）…湿度センサ、ＮＷ…ダンパネットワーク、ＡＲ（ＡＲ１〜ＡＲ８）…制御対象エリア。
【図１】
2014043956.tif 000003
【図２】
2014043956.tif 000004
【図３】
2014043956.tif 000005
【図４】
2014043956.tif 000006
【図５】
2014043956.tif 000007
【図６】
2014043956.tif 000008
【図７】
2014043956.tif 000009
【図８】
2014043956.tif 000010
【図９】
2014043956.tif 000011
【図１０】
2014043956.tif 000012